(57)【要約】【課題】構成が簡単であり且つ木炭等の固形燃料を用い火付けに手数の掛からない火起し器を備えたバーベキューコンロを提供する。【解決手段】火起し器２２の仕切りハンドル３１を時計回り方向に回動させ仕切りハンドル３１と一体な仕切りプレート２９を外に開いて火起し器２２の円筒状容器の下部周面と下面の空気孔２７からの空気の流入路を開放する。丸めた新聞紙を円筒状容器内に入れ、円筒状容器の上部をコンロ本体２の底部４に形成されている火起し器取付け孔２１に差し入れ、ロックレバー２３を操作して火起し器２２をコンロ本体２の底部４に固定する。火格子６を底部４に設置し、その中央に木炭４６を積み上げ、マッチ又はライターで火起し器２２の底部の空気孔２７から内部の新聞紙に着火する。煙突効果で燃え上がる新聞紙の炎で木炭に火が十分に起きたなら、火ばさみで木炭を火格子６上に満遍なく散らばし、焼網８をコンロ本来２の上に載置する。【選択図】図２
0003177062.tif 000002
【実用新案登録請求の範囲】
【請求項１】
上部に開口部を有し周囲壁及び底部に複数の空気孔を形成されたコンロ本体と、
該コンロ本体の底部に対し所定の間隙を形成して着脱可能な火格子と、
前記開口部に着脱可能な焼網と、
前記コンロ本体に着脱可能で該コンロ本体を所定の高さで保持する４本の脚部と、
前記コンロ本体の底部に形成された火起し器取付け孔と、
該火起し器取付け孔に着脱可能な火起し器と、
該火起し器を前記火起し器取付け孔に固定するロックレバーと、
該ロックレバーを摺動可能に保持するロックレバー保持部と、
を有することを特徴とするバーベキューコンロ。
【請求項２】
前記火起し器取付け孔は、前記底部より低い段差を形成する縁部を有し、
前記火起し器は、上端開口部にフランジ状のロック爪係合部を有し、
前記ロックレバーは、前記ロックレバー保持部に摺動可能に保持される胴部と、該胴部の前記縁部方向に延びる先端は前記縁部の断面形状に沿い前記縁部の内側に回り込んで配置されてロック爪を形成し、前記胴部の前記ロックレバー保持部から外部に出る後端は前記底部に対し垂直方向に折り曲げられてバネ保持部を形成され、
前記ロックレバー保持部は、前記縁部の近傍において前記縁部の半径の延長線に沿い前記縁部の外部に形成され、前記底部の外面に固定され、前記縁部方向を向く端部から前記底部に対し垂直に延び出すバネ保持部を形成され、
前記ロックレバーの前記バネ保持部と前記ロックレバー保持部の前記バネ保持部との間に引き付勢力を有するバネが介装されている、
ことを特徴とする請求項１記載のバーベキューコンロ。
【請求項３】
前記火起し器は、
円筒状容器の形状であり、前記円筒状容器の周囲壁の中央より下方と底部に形成された複数の空気孔と、
前記周囲壁の前記空気孔が形成されてる下方と前記空気孔が形成されていない上方との境界部を、水平面に沿って前記周囲壁を半周するよう形成された切り欠き部と、
該切り欠き部を介して前記円筒状容器の内部に進退し、前記空気孔が形成されてる下方と前記空気孔が形成されていない上方との連通を仕切り又は開放するために水平に回動する仕切りプレートと、
該仕切りプレートと一体に連設して形成された仕切りハンドルと、
前記円筒状容器に固定して形成され、前記仕切りプレートと前記仕切りハンドルとの連設部を回動可能に支持する回動支持部と、
を有する、ことを特徴とする請求項１又は２記載のバーベキューコンロ。
【考案の詳細な説明】
【技術分野】
【０００１】
本考案は、バーベキューコンロに関わり、特に木炭等の固形燃料を用い火付けに手数の掛からない火起し器を備えたバーベキューコンロに関する。
【背景技術】
【０００２】
従来、バーベキューコンロには、一般的に固形燃料として木炭が使用される。木炭を燃料として用いるには先ず木炭を発火材により着火させる必要がある。木炭に着火させるには揮発性の液体燃料等を木炭に添加して点火する簡便な方法があるが、揮発性の液体燃料は取扱いにおいて引火、火傷、火災等の危険性を伴い易いので注意が必要である。
【０００３】
したがって、通常は、長い取っ手の付いた円筒状で周囲と底部に多くの孔を有する火起し器を用い、丸めた紙や木屑等の燃えやすい燃料の上に木炭を置き、底部の孔からマッチやライターなどで紙に点火すれば、容易に木炭に着火することができる。
【０００４】
しかし、この種の火起し器は、着火させた木炭をバーベキューコンロの火皿へ移し替えるのに手数が掛る。また、長い取っ手が付いているとはいえ、円筒状本体の外面はかなりの高温となるので手などが触れて火傷し易いなど、決して取扱いが容易とはいえない不便がある。
【０００５】
そこで、木炭等の固形燃料に簡単に着火できる着火器具を備え、着火後の木炭等をコンロ本体上に簡単かつ瞬時に移し替えて使用できるバーベキューコンロが提案されている。（例えば、特許文献１参照。）
【先行技術文献】
【特許文献】
【０００６】
【特許文献１】特開２００１−２９２９１６号公報
【考案の概要】
【考案が解決しようとする課題】
【０００７】
しかしながら、特許文献１の技術は、折畳式に構成することに主眼が置かれ、折畳をコンロ状に開成する途中の状態で煙突状の着火部を形成し、この着火部で木炭等の固形燃料に着火し、着火が十分に行き渡ったところで、折畳をコンロ状に完全開成することで、着火後の木炭等をコンロ本体上に簡単かつ瞬時に移し替えるようにしている。
【０００８】
特許文献１の技術は、折畳状態からコンロ形成に至る組み立て図を見ても、着火後の木炭等をコンロ本体上に展開する説明の記載をみても、複雑で難解であり、取扱いが容易であるとは考えれない構成となっている。
【０００９】
本考案は、上記従来の課題を解決するものであって、構成が極めて簡単であり且つ木炭等の固形燃料を用い火付けに手数の掛からない火起し器を備えたバーベキューコンロを提供することを目的とする。
【課題を解決するための手段】
【００１０】
上記課題を解決するために、本考案のバーベキューコンロは、上部に開口部を有し周壁及び底部に複数の空気孔を形成されたコンロ本体と、該コンロ本体の底部に対し所定の間隙を形成して着脱可能な火格子と、上記開口部に着脱可能な焼網と、上記コンロ本体に着脱可能で該コンロ本体を所定の高さで保持する４本の脚部と、上記コンロ本体の底部に形成された火起し器取付け孔と、該火起し器取付け孔に着脱可能な火起し器と、該火起し器を上記火起し器取付け孔に固定するロックレバーと、該ロックレバーを摺動可能に保持するロックレバー保持部と、を有して構成される。
【考案の効果】
【００１１】
本考案は、構成が簡単であり且つ木炭等の固形燃料を用い火付けに手数の掛からない火起し器を備えたバーベキューコンロを提供することができる。
【図面の簡単な説明】
【００１２】
【図１】本考案の実施例１に係るバーベキューコンロの外観斜視図である。
【図２】実施例１に係るバーベキューコンロの一部切出部を含む分解斜視図である。
【図３】(a),(b),(c)は実施例１に係るバーベキューコンロの火起し器の使用方法を説明する図（その１）である。
【図４】(a),(b)は実施例１に係るバーベキューコンロの火起し器の使用方法を説明する図（その２）である。
【図５】(a),(b)は施例１に係るバーベキューコンロの火起し器の使用方法を説明する図（その３）である。
【考案を実施するための形態】
【００１３】
以下、本考案の実施の形態について、図面を参照しながら詳細に説明する。
図１は、本考案の実施例１に係るバーベキューコンロの外観斜視図である。
図２は、実施例１に係るバーベキューコンロの一部切出部を含む分解斜視図である。
【００１４】
図１及び図２を用いてバーベキューコンロの構成を説明する。バーベキューコンロ１はコンロ本体２を備えている。コンロ本体２は、平断面が直方形の筐体からなり、上部に開口部を有し、周囲壁３及び底部４に複数の空気孔５（図では底部４の空気孔は陰になって見えない）を形成されている。
【００１５】
コンロ本体２の底部４には、火格子６が着脱可能に設置される。火格子６は、底部４に設置されたとき底部４との間に空気が流入しやすい適宜の間隙を作るように下方に突設する凸部７が形成されている。凸部７は、火格子６を形成している鉄の丸棒部材の一部を折り曲げて、火格子６の周囲近傍の６箇所に形成されている。
【００１６】
コンロ本体２の上部の開口部には、２枚の焼網８が並べて載置される。２枚の焼網８のそれぞれの四隅には、焼網８がコンロ本体２の開口部から脱落しないように開口部の縁に内側から当接する凸部９が下方に向けて形成されている。これらの凸部９は、焼網８を形成している鉄の丸棒部材の一部を折り曲げて形成されている。
【００１７】
また、分解時のコンロ本体２を、又は組立完了時のバーベキューコンロ１を、持ち運びし易いように、コンロ本体２には、取っ手１１が着脱可能に取り付けられる。取っ手１１は、コの字形に形成され、コの字形の両端部は相互に並行したまま一定の反りが形成され、先端はコの字の開口の外側に向けて直角に折り曲げられて取付部１２を形成している。
【００１８】
一方、コンロ本体２の長手方向の両側面（図１及び図２では、斜め右上方向を向く側面は陰になって見えない）には、２個の取付孔１３が形成されている。取っ手１１のコの字形からくる弾性を利用して、コの字形の幅を手で狭め、取っ手１１の取付部１２を、コンロ本体２の側面の取付孔１３に差し込んで、取っ手１１のコンロ本体２への取り付けが完成する。
【００１９】
更に、コンロ本体２には、コンロ本体２を所定の高さで保持する４本の脚部１３が着脱可能に取り付けられる。４本の脚部１３は、２個のＵ字形パイプ１４と、Ｕ字形パイプ１４の端部に差し込んで組み付けられる直棒形の４本の脚パイプ１５とで構成される。４本の脚パイプ１５の設置端部には滑止めキャップ１６が外嵌している。
【００２０】
上記のＵ字形パイプ１４には、４個のネジ挿通孔１６（１６ａ、１６ｂ、１６ｃ、１６ｄ）が形成されている。なお、コンロ本体２の長手方向の両側面における脚部１３の取り付け方法と配置は、コンロ本体２の中央に対し対称形であるので、図２には、左側面の関係部材にのみ番号を付与して示している。
【００２１】
コンロ本体２の長手方向の両側面には、Ｕ字形パイプ１４の４個のネジ挿通孔１６に対応する位置に、４個のネジ挿通孔１７（１７ａ、１７ｂ、１７ｃ、１７ｄ）が形成されている。これらのネジ挿通孔１６とネジ挿通孔１７には、蝶ネジ１８（１８ａ、１８ｂ、１８ｃ、１８ｄ）が挿通され、蝶ナット１９（１９ａ、１９ｂ、１９ｃ、１９ｄ）に螺合する。なお、蝶ナット１９ｃは、煩雑を避けるため図示を省略している。
【００２２】
各蝶ネジ１８を、それぞれに対応するネジ挿通孔１６とネジ挿通孔１７に挿通し、それぞれに対応する蝶ナット１９に螺合させて相互に締め付けることにより、Ｕ字形パイプ１４が脚パイプ１５と共にコンロ本体２の長手方向の両側面に固定される。
【００２３】
このように、所定の高さに設定されたコンロ本体２の底部４には、ほぼ中央に火起し器取付け孔２１が形成されている。そして、バーベキューコンロ１は、組部材の一つとして火起し器取付け孔２１に着脱可能な火起し器２２を備えている。火起し器取付け孔２１の外側近傍には、火起し器２２を火起し器取付け孔２１に固定する詳しくは後述するロックレバー２３が配置されている。
【００２４】
ここで、火起し器２２について説明する。火起し器２２は円筒状容器の形状をしている。円筒状容器の上端開口部の縁２４の周囲にはフランジ２５が形成され、フランジ２５の下方やや離れた位置にフランジ状のロック爪係合部２６が固設されている。そして、円筒状容器の周囲壁の中央より下方と底部には複数の空気孔２７が形成されている。
【００２５】
円筒状容器の周囲壁の空気孔２７が形成されてる下方と空気孔２７が形成されていない上方との境界部を、水平面に沿って周囲壁を半周する切欠部２８が形成されている。この切欠部２８には、仕切りプレート２９が配設されている。
【００２６】
仕切りプレート２９には仕切りハンドル３１が仕切りプレートと一体に連設されている。仕切りプレート２９と仕切りハンドル３１との連設部には、ピン状の回動支持部３２が配置されている。
【００２７】
仕切りハンドル３１を指でつまみ、回動支持部３２を支点にして、仕切りハンドル３１とこの仕切りハンドル３１と一体な仕切りプレート２９を、図２の実線位置と破線位置とに回動させることができる。
【００２８】
これにより、仕切りプレート２９が水平に回動し、切欠部２８を介して円筒状容器の内部に進退し、空気孔２７が形成されてる下方と空気孔２７が形成されていない上方との連通を仕切り（破線位置）又は開放する（実線位置）。
【００２９】
この火起し器２２は、例えば、左手で取っ手３３を持って、上端部をコンロ本体２の底部４の中央に形成されている火起し器取付け孔２１に差し入れ、右手でロックレバー２３を操作することによって、容易にコンロ本体２の底部４に取り付けることができる。
【００３０】
図３(a),(b),(c)、図４(a),(b)及び図５(a),(b)は、上記構成のバーベキューコンロ１の火起し器２２の使用方法を説明する図である。なお、図３(a),(b),(c)、図４(a),(b)及び図５(a),(b)には、図１及び図２で示した構成と同一の構成部分には、図１及び図２と同一の番号を付与して示している。
【００３１】
先ず、図３(a)に示すように、火起し器２２の仕切りハンドル３１を矢印ａで示すように回動支持部３２を支点にして時計回り方向に回動させ、仕切りプレート２９を外に開いて、円筒状容器の内部を開放する。そして、２枚ほど重ねて軽く丸めた新聞紙３４を矢印ｂで示すように、円筒状容器内に投入する。なお、新聞紙と限ることなく、燃えやすい紙であれば何でもよい。
【００３２】
続いて、図３(b)に示す取っ手３３を左手に持って、矢印ｃで示すように、コンロ本体２の底部４の火起し器取付け孔２１の中に、円筒状容器のロック爪係合部２６よりもやや下の部分３５くらいの位置まで火起し器２２を差し入れる。
【００３３】
火起し器取付け孔２１は、底部４より低い段差を形成する縁部３６を有している。この縁部３６の近傍にはロックレバー保持部３７が配置されている。ロックレバー保持部３７は、縁部３６の半径の延長線に沿った方向の縁部３６の外側で底部４の外面に固定されている。ロックレバー保持部３７には、縁部３６方向を向く端部から底部４に対し垂直に延び出すバネ保持部３８が形成されている。
【００３４】
図２に示したロックレバー２３は、図３(b)に示すように、その胴部３９をロックレバー保持部３７に摺動可能に保持されている。この胴部３９の、火起し器取付け孔２１の縁部３６方向に延びる先端はロック爪４１を形成している。ロック爪４１は、縁部３６の断面形状に沿い縁部３６の内側に回り込んで配置されている。
【００３５】
また、ロックレバー２３の胴部３９のロックレバー保持部３７から外部に出る後端は、コンロ本体２の底部４に対し垂直方向に折り曲げられてバネ保持部４２を形成している。これらロックレバー２３のバネ保持部４２とロックレバー保持部３７のバネ保持部３８との間には、引き付勢力を有するバネ部材４３が介装されている。
【００３６】
ロックレバー２３のバネ保持部４２の延長方向（図３(b),(c)では右方向）には適宜の間隔を置いて、板状の抓み部材４４がコンロ本体２の底部４の外面に、底部４から垂直に固設されている。
【００３７】
図３(b)は、人が手袋を嵌めた手４５の親指と人差指の二本の指で、ロックレバー２３のバネ保持部４２と抓み部材４４とを強く抓んで、ロックレバー２３を、矢印ｄで示すように、バネ部材４３の付勢力に抗して抓み部材４４側に引き寄せた状態を示している。
【００３８】
この状態で、火起し器取付け孔２１の縁周りには火起し器２２の円筒状容器の上端部を差し入れるに十分な間隙が形成されている。そこで、図３(c)に示すように、火起し器２２の円筒状容器の上端部を火起し器取付け孔２１内に差し入れ、手４５の親指と人差指の二本の指の抓みを離す。
【００３９】
これで、ロックレバー２３のバネ保持部４２が指の抓みから開放され、バネ部材４３の付勢力により、矢印ｅで示すように、ロックレバー保持部３７のバネ保持部３８側に引き寄せられる。これによりロックレバー保持部３７の先端のロック爪４１が火起し器取付け孔２１内に進出する。
【００４０】
火起し器取付け孔２１内に進出したロック爪４１は、火起し器２２の円筒状容器のフランジ状のロック爪係合部２６の下部に係合する。これにより、火起し器２２は、ロック爪係合部２６を介し、ロック爪４１と火起し器取付け孔２１のロック爪４１に対向する側の縁部３６とで挟み込まれるようにしてコンロ本体２の底部４に固定される。
【００４１】
次に、図４(a)に示すように、コンロ本体２の底部４に火格子６を設置し、火起し器２２の上に対応する火格子６の中央部に、コンロ本体２で最初に使用すべき全ての炭４６を適宜の隙間が出来るように積み上げる。
【００４２】
そして、図４(b)に示すように、マッチ又はコンロ用ライター４７で発火させた炎４８により、火起し器２２の底部の中央の空気孔２７を介して、内部の新聞紙３４に着火する。火起し器２２が円筒状容器であることと、周囲壁下半分と底面に吸気孔２７があることによる煙突効果により、着火した新聞紙３４は勢い良く燃え上がる。
【００４３】
新聞紙３４が燃え上がった炎と熱により、図５(a)に示すように、木炭４６に着火し、青色混じりの炎４９を上げながら木炭４６に火が廻っていく。ここで、団扇等で外から扇いで酸素を外からも供給しながら木炭４６全体に火が回るの待つ。
【００４４】
木炭４６に十分に火が廻って火力が安定したならば、図５(b)に示すように、仕切りハンドル３１を矢印ｆで示すように反時計回り方向に回動させて、仕切りプレート２９を円筒状容器内に進入させて、周囲壁下半分と底面にある吸気孔２７からの空気の流入を遮断する。
【００４５】
しかるのち、特には図示しないが、火ばさみ等により火の起きた木炭４６を火格子６の上に満遍なく散らばして、火力５０が上方の図示を省略した焼網８（図１参照）全体に行き渡るようにする。
【産業上の利用可能性】
【００４６】
本考案は、木炭等の固形燃料を用い火付けに手数の掛からない火起し器を備えたバーベキューコンロに利用することができる。
【符号の説明】
【００４７】
１  バーベキューコンロ
２  コンロ本体
３  周囲壁
４  底部
５  空気孔
６  火格子
７  凸部
８  焼網
９  凸部
１１  取っ手
１２  取付部
１３  脚部
１４  Ｕ字形パイプ
１５  脚パイプ
１６（１６ａ、１６ｂ、１６ｃ、１６ｄ）  ネジ挿通孔
１７（１７ａ、１７ｂ、１７ｃ、１７ｄ）  ネジ挿通孔
１８（１８ａ、１８ｂ、１８ｃ、１８ｄ）  蝶ネジ
１９（１９ａ、１９ｂ、１９ｃ、１９ｄ）  蝶ナット
２１  火起し器取付け孔
２２  火起し器
２３  ロックレバー
２４  上端開口部の縁
２５  フランジ
２６  ロック爪係合部
２７  空気孔
２８  切欠部
２９  仕切りプレート
３１  仕切りハンドル
３２  回動支持部
３３  取っ手
３４  丸めた新聞紙
３５  ロック爪係合部よりも下の部分
３６  縁部
３７  ロックレバー保持部
３８  バネ保持部
３９  ロックレバー胴部
４１  ロック爪
４２  バネ保持部
４３  バネ部材
４４  板状の抓み部材
４５  手袋を嵌めた手
４６  木炭
４７  コンロ用ライター
４８、４９  炎
５０  火力
【図１】
0003177062.tif 000003
【図２】
0003177062.tif 000004
【図３】
0003177062.tif 000005
【図４】
0003177062.tif 000006
【図５】
0003177062.tif 000007